(57)【要約】      （修正有）【課題】内枠を外枠に対して脱着させる作業を容易に行なえ、また安全性の高い天井点検口を提供する。【解決手段】内枠３をガイド用レール部材８に沿って斜め上方に滑動させて外枠１の内部空間を開くように構成した天井点検口であって、ガイド用レール部材８は内枠３により外枠１の内部空間を閉じた状態において内枠３の中間位置で前後に分断されており、この分断部を境に一端側に向いて緩やかな角度で上向きに伸びる長いレール部分８ａと、この分断部を境に他端側に伸びる短いレール部分８ｂとからなり、短いレール部分８ｂは分断部側の端部近傍で外枠１の立ち上がり壁に水平軸芯１１の周りで長いレール部分８ａの傾斜角と同一角度の上向き傾斜状態と水平状態との間で回動自在に支持され、短いレール部分８ｂの端部に内枠３のローラー１０ｂが抜け出るのを防止するために開放自在なストッパー手段１７を設けた。【選択図】図６
2006070631.tif 000002
【特許請求の範囲】
【請求項１】
天井板の開口部に嵌められて建物側に固定される外枠と、この外枠の内部空間を開閉するために内側下端の板部上に蓋材が載せられて設けられた内枠と、前記外枠の１組の対向側辺における各立ち上がり壁にこの１組の対向側辺における立ち上がり壁の長さ方向に沿って外枠から緩やかな角度で上向きに傾斜するように取り付けられた一対のガイド用レール部材と、前記内枠の１組の対向側辺における各立ち上がり壁の外側に張り出し前記ガイド用レール部材に案内されるように設けられた摺動体とからなり、内枠をガイド用レール部材に沿って斜め上方に滑動させて外枠の内部空間を開くように構成した天井点検口であって、前記ガイド用レール部材は内枠により外枠の内部空間を閉じた状態において内枠の中間位置で前後に分断されており、この分断部を境に一端側に向いて緩やかな角度で上向きに伸びる長いレール部分と、この分断部を境に他端側に伸びる短いレール部分とからなり、前記長いレール部分は一定の傾斜角を保持した状態で外枠の立ち上がり壁に固定されており、前記短いレール部分は分断部側の端部近傍で外枠の立ち上がり壁に水平軸芯の周りで長いレール部分の傾斜角と同一角度の上向き傾斜状態と水平状態との間で回動自在に支持され、前記摺動体は蓋材が載せられた内枠により外枠の内部空間を閉じた状態において前記短いレール部分の中に位置し、内枠を水平にした状態で閉塞状態を保持する係止手段を設けたことを特徴とする天井点検口。
【請求項２】
ガイド用レール部材の短いレール部分の端部に内枠の摺動体が抜け出るのを防止するためにばねにより付勢されたストッパー手段を設け、このストッパー手段は短いレール部分の端部から開放自在に構成されていることを特徴とする請求項１記載の天井点検口。
【請求項３】
外枠の内部空間を開いた状態において内枠側と係合する係合手段がガイド用レール部材の長いレール部分に設けられていることを特徴とする請求項１または２記載の天井点検口。
【請求項４】
ガイド用レール部材の短いレール部分には内枠の摺動体の側面に圧接させる板ばねが設けられていることを特徴とする請求項１から３までの何れか１項記載の天井点検口。
【発明の詳細な説明】
【技術分野】
【０００１】
本発明は、天井点検口に関するものである。
【背景技術】
【０００２】
従来から一般に知られている天井点検口は、天井板の開口部に嵌められて建物側に固定されるアルミニウム製のほぼ逆Ｔ字状の外枠と、この外枠の下端に内側に張り出す板部の内周縁に沿う１側辺の端面に形成された係合片に回動自在に係合する係合片を立ち上がり壁の１側辺外側に備え外枠の内部空間を開閉するアルミニウム製のほぼ逆Ｔ字状の内枠と、この内枠の内側下端の板部上に載り前記天井板と同じ材料の蓋材を備え、この蓋材が取り付けられた内枠により外枠の内部空間を閉じた状態において内枠の下端の外側に張り出すように設けた板部の外周が前記外枠の下端に内側に張り出す板部に近接するように構成されている。
【０００３】
つまり、蓋材を備えた内枠は外枠に対して下方に回動して開くようになっており、内枠を開いた状態で天井点検口の作業を行なうとき、内枠が天井点検口の下方に突出していることから開かれた内枠の角に作業者が頭を接触させて怪我するなどの危険性があり、また内枠は外枠に対して係合片でもって回動自在に係合していることから内枠に作業者の体が接触することにより外枠に対する係合が外れて内枠が落下し、天井点検口の下方に人がいると、その人に内枠が当たって怪我するという危険性があった。
【０００４】
そこで、このような問題を解決するために特許文献１に開示されているように、天井板の開口部に嵌められて建物側に固定される外枠と、この外枠の内部空間を開閉するために内側下端の板部上に蓋材が載せられて設けられた内枠と、前記外枠の１組の対向側辺における各立ち上がり壁にこの１組の対向側辺における立ち上がり壁の長さ方向に沿って外枠から緩やかな角度で傾斜するように取り付けられた一対のガイド用レール部材と、前記内枠の１組の対向側辺における各立ち上がり壁の上端に外側に張り出し前記ガイド用レール部材に案内されるように設けられた２つのローラーとからなり、内枠の一端側を持ち上げた状態で内枠を斜め上方に滑動させて外枠の内部空間を開くように構成した天井点検口が知られている。
【特許文献１】特開２００２−２９５０００号公報
【発明の開示】
【発明が解決しようとする課題】
【０００５】
しかしながら、上記特許文献１にて知られている天井点検口は、内枠を外枠に対して脱着させるとき天井裏においてガイド用レール部材に沿って内枠を斜め上方に滑動させて内枠に設けたローラーをガイド用レール部材から引き抜かなければならず、天井裏での作業であるがために作業性が悪いという問題があった。また、上記特許文献１にて知られている天井点検口は、外枠の内部空間を閉じている内枠を開こうとする場合、内枠の閉塞状態を保持する係止手段を外してもそのままであり、その後下から押すか前後に移動させるか不慣れな人にとっては初期の動作が分かり辛いという問題があった。
【０００６】
本発明の目的は、このような課題を解決するものであり、内枠を外枠に対して脱着させる作業や閉じられた内枠の開放動作を容易に行なえ、また内枠の開放時に天井点検口の下方に突出しないので作業者が頭を接触させて怪我するようなこともなく、安全性の高い天井点検口を提供することにある。
【課題を解決するための手段】
【０００７】
本発明の請求項１に記載の天井点検口は、天井板の開口部に嵌められて建物側に固定される外枠と、この外枠の内部空間を開閉するために内側下端の板部上に蓋材が載せられて設けられた内枠と、前記外枠の１組の対向側辺における各立ち上がり壁にこの１組の対向側辺における立ち上がり壁の長さ方向に沿って外枠から緩やかな角度で上向きに傾斜するように取り付けられた一対のガイド用レール部材と、前記内枠の１組の対向側辺における各立ち上がり壁の外側に張り出し前記ガイド用レール部材に案内されるように設けられた摺動体とからなり、内枠をガイド用レール部材に沿って斜め上方に滑動させて外枠の内部空間を開くように構成した天井点検口であって、前記ガイド用レール部材は内枠により外枠の内部空間を閉じた状態において内枠の中間位置で前後に分断されており、この分断部を境に一端側に向いて緩やかな角度で上向きに伸びる長いレール部分と、この分断部を境に他端側に伸びる短いレール部分とからなり、前記長いレール部分は一定の傾斜角を保持した状態で外枠の立ち上がり壁に固定されており、前記短いレール部分は分断部側の端部近傍で外枠の立ち上がり壁に水平軸芯の周りで長いレール部分の傾斜角と同一角度の上向き傾斜状態と水平状態との間で回動自在に支持され、前記摺動体は蓋材が載せられた内枠により外枠の内部空間を閉じた状態において前記短いレール部分の中に位置し、内枠を水平にした状態で閉塞状態を保持する係止手段を設けたことを特徴とする。
【０００８】
請求項２に記載の天井点検口は、ガイド用レール部材の短いレール部分の端部に内枠の摺動体が抜け出るのを防止するためにばねにより付勢されたストッパー手段を設け、このストッパー手段は短いレール部分の端部から開放自在に構成されていることを特徴とする。
【０００９】
請求項３に記載の天井点検口は、外枠の内部空間を開いた状態において内枠側と係合する係合手段がガイド用レール部材の長いレール部分に設けられていることを特徴とする。  請求項４に記載の天井点検口は、ガイド用レール部材の短いレール部分には内枠の摺動体の側面に圧接させる板ばねが設けられていることを特徴とする。
【発明の効果】
【００１０】
以上のように、本発明の天井点検口は、内枠を開放させるとき内枠をガイド用レール部材に沿って移動させることにより開かれ、内枠は天井点検口の下方に突出しないので作業者が頭を接触させて怪我するようなこともなく、安全性の高い天井点検口を提供することができる。また、内枠を開放させるために閉塞状態を保持する係止手段を解除した状態において内枠が傾くことにより初期の動作が分かりやすくなり、内枠の開放動作を容易に行なえる。また、外枠に対して内枠を脱着させるときは、ガイド用レール部材の短いレール部分の端部に内枠のローラーが抜け出ないようにするために設けたストッパー手段を短いレール部分の端部から開放させることにより天井板の開口部の位置で作業を容易に行なうことができる。また、ストッパー手段はばねにより付勢されていることにより内枠のローラーがストッパー手段に強く当接したときの衝撃を和らげることができる。また、外枠の内部空間を開いた状態において内枠側と係合する係合手段がガイド用レール部材の長いレール部分に設けられていることにより、開かれた内枠から手を離しても勝手に閉じることはない。さらに、ガイド用レール部材の短いレール部分には内枠のローラーの側面に圧接させる板ばねが設けられており、内枠がガイド用レール部材に沿って閉動し完全に閉じ終わる直前において内枠の閉動にブレーキをかけることができる。
【発明を実施するための最良の形態】
【００１１】
以下、本発明の一実施の形態を、図１〜図１２を用いて具体的に説明する。
図において、１は天井板２の開口部２ａに嵌められて建物側に吊り下げ金具（図示せず）を介して吊り下げられて固定されるアルミニウム製のほぼＬ字状の外枠、３はこの外枠１の内部空間を開閉するアルミニウム製のほぼ逆Ｔ字状の内枠であり、この内枠３の内側下端の板部４上に前記天井板２と同じ材料の蓋材２ｂが載せられて押さえ金具５により固定されている。そしてこの蓋材２ｂが取り付けられた内枠３により外枠１の内部空間を閉じた状態において内枠３の下端の外側に張り出すように設けた板部６の外周が前記外枠１の下端内周に近接するように構成されている。
【００１２】
ところで、前記外枠１には１組の対向側辺における立ち上がり壁７，７の内側にこの１組の対向側辺における立ち上がり壁７，７の長さ方向に沿って外枠１から緩やかな角度（鋭角）で上向きに傾斜するように一対のガイド用レール部材８，８が取り付けられている。このガイド用レール部材８，８は前記内枠３の１組の対向側辺における各立ち上がり壁９の外側に張り出すように設けられた摺動体としての２つのローラー１０ａ，１０ｂを受けて内枠３の一端側を持ち上げた状態で内枠３を斜め上方に滑動させるものである。詳しくは、前記一対のガイド用レール部材８，８は内枠３により外枠１の内部空間を閉じた状態において内枠３の中間位置、つまり内枠３の一端側と他端側（前端側）との間の位置あたりで前後に分断されており、この分断部を境に一端側に向いて緩やかな角度で上向きに伸びる長いレール部分８ａと、この分断部を境に他端側に伸びる短いレール部分８ｂとからなっている。前記長いレール部分８ａは一定の傾斜角を保持した状態で外枠１の立ち上がり壁７に固定されており、前記短いレール部分８ｂは分断部側の端部近傍で外枠１の立ち上がり壁７に水平軸芯１１の周りで長いレール部分８ａの傾斜角と同一角度の上向き傾斜状態と水平状態との間で回動自在となっている。なお、前記長いレール部分８ａの分断部側の端部は前記外枠１の立ち上がり壁７の内側に位置して外枠１の立ち上がり壁７と同レベルにあり、前記短いレール部分８ｂの分断部側の端部はこの短いレール部分８ｂの分断部側の端部が上向きに傾いた状態において前記長いレール部分８ａと一直線状となるように構成されている。前記内枠３に設けたローラー１０ａ，１０ｂは外枠１の内部空間を閉じた状態において前記短いレール部分８ｂの中に位置しており、内枠３の他端側（前端側）を短いレール部分８ｂが水平状態となるまで少し持ち上げて内枠３の他端側に設けた係止手段としての施錠装置１２の鍵穴にキーを差し込んでキーを回すことにより施錠装置１２の係合片が外枠１側に係止し、内枠３の水平状態、つまり閉塞状態を保持できるようになっている。
【００１３】
さらに、細部について説明すると、外枠１の内部空間を閉じた状態の内枠３をガイド用レール部材８，８に沿って斜め上方に滑動させて外枠１の内部空間を開いたとき、その状態を保持するために前記各ガイド用レール部材８の長いレール部分８ａの一端近傍部上側には前記内枠３の２つのローラー１０ａ，１０ｂの内、内枠３の一端側に近い側のローラー１０ａの上端を弾性的に係合させるばね性金属線からなる係合手段１３が設けられている。また、この係合手段１３が設けられている長いレール部分８ａの一端近傍部よりも一端側には前記ローラー１０ａを当接させてガイド用レール部材８の長いレール部分８ａの一端側からの内枠３の抜け外れを防止するピン１４が設けられている。また、前記各ガイド用レール部材８の短いレール部分８ｂには前記内枠３の２つのローラー１０ａ，１０ｂの内、内枠３の他端側に近い側のローラー１０ｂの側面に圧接可能な板ばね１５が設けられている。この板ばね１５は前記短いレール部分８ｂの立ち上がり壁８ｂ’の切り欠き孔部８ｂ”に両端が差し込まれて取り付けられており、この板ばね１５と立ち上がり壁８ｂ’との間にはスポンジなどの樹脂製弾性体１６が介在されている。この板ばね１５は前記内枠３がガイド用レール部材８に沿って閉動し完全に閉じ終わる直前において内枠３の他端側に近い側のローラー１０ｂの側面を圧接させて内枠３の閉動にブレーキをかけるためのものである。さらに、前記短いレール部分８ｂの分断部側の端部とは反対側の端部には内枠３がガイド用レール部材８に沿って閉動するとき、短いレール部分８ｂから内枠３の他端側に近い側のローラー１０ｂが抜け出ないようにするためのストッパー手段１７が設けられている。このストッパー手段１７は金属棒をほぼコの字状に折り曲げてなるストッパー棒１８と、前記短いレール部分８ｂの分断部側の端部とは反対側の端部の開口部を閉じるべくストッパー棒１８を後方（短いレール部分８ｂの分断部側）に付勢するばね１９とからなっている。詳しくは、ほぼコの字状に折り曲げてなる前記ストッパー棒１８は上側部１８ａと、上側部１８ａよりも長さの短い下側部１８ｂと、これら上側部１８ａと下側部１８ｂを繋ぐ連結部１８ｃとを備え、上側部１８ａは短いレール部分８ｂの上端に設けたガイド部２０ａに沿って前後に摺動自在に支持され、下側部１８ｂは短いレール部分８ｂの下端に設けたガイド部２０ｂに沿って前後に摺動自在に支持され、連結部１８ｃは短いレール部分８ｂの分断部側の端部とは反対側の端部の開口部に当接自在となっていて、前記短いレール部分８ｂの上端においてガイド部２０ａの後端部から後方に突出する上側部１８ａの後端部とガイド部２０ａの後端部との間で上側部１８ａにコイル状のばね１９を外嵌させてストッパー棒１８を後方に付勢させ、連結部１８ｃを短いレール部分８ｂの分断部側の端部とは反対側の端部の開口部に当接させるようにしている。このように短いレール部分８ｂの分断部側の端部とは反対側の端部にばね１９により緩衝機能を備えたストッパー手段１７を設けることにより、内枠３がガイド用レール部材８に沿って閉動するとき、短いレール部分８ｂから内枠３の他端側に近い側のローラー１０ｂが抜け出ないようにする作用と、ローラー１０ｂがばね１９に当接したときの衝撃を和らげる作用が得られる。なお、ストッパー手段１７をばね１９力に抗して前方に引っ張ることにより長さの短い下側部１８ｂはガイド部２０ｂから抜け出てストッパー手段１７を上側部１８ａを中心として回転させることができ、これにより短いレール部分８ｂの分断部側の端部とは反対側の端部の開口部から連結部１８ｃを取り除き、天井板２の開口部２ａより外枠１に対して内枠３を脱着させることができる。外枠１に対して内枠３を嵌め込んだ後は連結部１８ｃが短いレール部分８ｂの分断部側の端部とは反対側の端部の開口部に当接するように下側部１８ｂをガイド部２０ｂに位置合わせして嵌入させ、ストッパー手段１７をセットしておくものである。
【００１４】
上記構成において、外枠１に対して内枠３を脱着させるときは、前記ストッパー手段１７の連結部１８ｃを短いレール部分８ｂの分断部側の端部とは反対側の端部の開口部から除いた状態で天井板２の開口部２ａの位置で作業を行なうものである。短いレール部分８ｂにローラー１０ａ，１０ｂを嵌入させてセットされた内枠３は長いレール部分８ａと同一角度で傾いた状態にあり、内枠３を前記短いレール部分８ｂと一体に前記水平軸芯１１の周りで水平状態に回転させ、かかる状態で内枠３に設けた施錠装置１２の係合片を外枠１側に係止し、内枠３の水平状態を保持することにより外枠１の内部空間が閉じられた状態となる。外枠１の内部空間を開くときは、施錠装置１２の係合片を外枠１から外して内枠３を前記短いレール部分８ｂと一体に傾け、その後内枠３を短いレール部分８ｂから長いレール部分８ａ側に押して移動させ、内枠３に設けた前記ローラー１０ａの上端を係合手段１３に弾性的に係合させて、内枠３を押し開いた状態を保持する。外枠１の内部空間を閉じるときは、内枠３を長いレール部分８ａから短いレール部分８ｂ側に少し引っ張ることにより傾斜する長いレール部分８ａに沿って内枠３が移動し、ローラー１０ａ，１０ｂが短いレール部分８ｂに載った状態で内枠３を前記短いレール部分８ｂと一体に前記水平軸芯１１の周りで水平状態に回転させ、かかる状態で内枠３に設けた施錠装置１２の係合片を外枠１側に係止し、内枠３の水平状態を保持することによって外枠１の内部空間が閉じられる。
【００１５】
ところで、上記実施の形態では前記摺動体としてローラー１０ａ，１０ｂを使用しているが、ガイド用レール部材８内で摺動するものであれば他の部材を使用するようにしても良い。また、外枠１の内部空間を開いた状態において内枠３側と係合する係合手段としてばね性金属線からなる係合手段１３を使用しているが、他の係合手段を使用するようにしても良い。
【図面の簡単な説明】
【００１６】
【図１】本発明の一実施の形態における天井点検口の内枠が閉じた状態を示す上から見た斜視図である。
【図２】同天井点検口の内枠が閉じた状態を示す下から見た斜視図である。
【図３】同天井点検口の内枠が閉じた状態を示す断面図である。
【図４】同天井点検口の内枠が閉じた状態におけるガイド用レール部材と内枠のローラーとの関係を示す説明図である。
【図５】同天井点検口の内枠がガイド用レール部材の途中に位置している状態を示す上から見た斜視図である。
【図６】同天井点検口の内枠がガイド用レール部材の途中に位置している状態におけるガイド用レール部材と内枠のローラーとの関係を示す説明図である。
【図７】同天井点検口の内枠が完全に開いた状態を示す上から見た斜視図である。
【図８】同天井点検口の内枠が完全に開いた状態におけるガイド用レール部材と内枠のローラーとの関係を示す説明図である。
【図９】同ガイド用レール部材の短いレール部分の端部のストッパー手段取り付け部の斜視図である。
【図１０】同ガイド用レール部材の短いレール部分の端部に設けたストッパー手段を短いレール部分の端部から開放させた状態を示す斜視図である。
【図１１】同ガイド用レール部材の短いレール部分に対する板ばね取り付け部の断面図である。
【図１２】同内枠のローラーが板ばねに当接している状態を示す断面図である。
【符号の説明】
【００１７】
１              外枠
２              天井板
２ａ            開口部
２ｂ            蓋材
３              内枠
４              板部
６              板部
７              立ち上がり壁
８              ガイド用レール部材
８ａ            長いレール部分
８ｂ            短いレール部分
９              立ち上がり壁
１０ａ，１０ｂ    ローラー
１１              水平軸芯
１２              施錠装置
１３              係合手段
１４              ピン
１５              板ばね
１６              樹脂製弾性体
１７              ストッパー手段
１８              ストッパー棒
１８ａ            上側部
１８ｂ            下側部
１８ｃ            連結部
１９              ばね
２０ａ，２０ｂ    ガイド部
【図１】
2006070631.tif 000003
【図２】
2006070631.tif 000004
【図３】
2006070631.tif 000005
【図４】
2006070631.tif 000006
【図５】
2006070631.tif 000007
【図６】
2006070631.tif 000008
【図７】
2006070631.tif 000009
【図８】
2006070631.tif 000010
【図９】
2006070631.tif 000011
【図１０】
2006070631.tif 000012
【図１１】
2006070631.tif 000013
【図１２】
2006070631.tif 000014